(57)【要約】  【課題】  塗布する面の傾斜によらず、均等に内容物を塗布することができるノズル及びノズル容器を提供すること。  【解決手段】  ノズル容器１は、ノズル３と容器５とから構成されており、ノズル３は、ノズル本体部７と、櫛部９とから構成されている。ノズル本体部７の上端である上端部２３ａは、ノズル本体部７の基準面に対し３０°傾いており、櫛部９の下端面は、櫛部９の先端における吐出平面に対し３０°傾いている。櫛部９を所定の取り付け角度でノズル本体部７に取り付けると、櫛部９の先端の吐出平面は容器５の底面に平行となり、そこから、櫛部９を１８０°回転させると、櫛部９の先端の吐出平面は容器５の底面に対して傾斜する。【選択図】  図１
2005082160.tif 000002
【特許請求の範囲】
【請求項１】
ノズル本体部と、ノズル先端部とから成るノズルにおいて、
前記ノズル本体部における基準面と、前記ノズル先端部における吐出平面との角度を変更することができることを特徴とするノズル。
【請求項２】
前記ノズル本体部は、前記ノズル先端部と当接するノズル本体部側当接面を備え、該ノズル本体部側当接面は、前記基準面に対して傾斜しているとともに、
前記ノズル先端部は、前記ノズル本体部側当接面と当接するノズル先端部側当接面を備え、該ノズル先端部側当接面は、前記吐出平面に対して傾斜していることを特徴とする請求項１記載のノズル。
【請求項３】
前記ノズル本体部側当接面に垂直な軸を回動中心として、前記ノズル先端部を前記ノズル本体部に対して回動させることにより、前記ノズル本体部に対する前記ノズル先端部の取り付け角度を変更することができることを特徴とする請求項２に記載のノズル。
【請求項４】
前記取り付け角度は、２つの取り付け角度Ａ、Ｂ、及びＣのうちから選択できることを特徴とする請求項３に記載のノズル。
【請求項５】
前記２つの取り付け角度Ａ及びＢは、互いに１８０度回動した角度であることを特徴とする請求項４に記載のノズル。
【請求項６】
前記取り付け角度は、所定角度おきに連続的に調整可能であることを特徴とする請求項３に記載のノズル。
【請求項７】
前記取り付け角度を固定することができるストッパー機構を備えることを特徴とする請求項３〜６のいずれかに記載のノズル。
【請求項８】
前記基準面と、前記吐出平面とが平行となるように、前記ノズル先端部を前記ノズル本体部に取り付けることができることを特徴とする請求項１〜７のいずれかに記載のノズル。
【請求項９】
前記ノズルは櫛付きノズルであることを特徴とする請求項１〜８のいずれかに記載のノズル。
【請求項１０】
前記ノズル本体部側当接面と前記基準面との成す角度が５〜８０°の範囲にあることを特徴とする請求項２〜９のいずれかに記載のノズル。
【請求項１１】
前記ノズル先端部側当接面と前記吐出平面との成す角度が５〜８０°の範囲にあることを特徴とする請求項２〜１０のいずれかに記載のノズル。
【請求項１２】
請求項１〜１１のいずれかに記載のノズルと、容器とを備えることを特徴とするノズル容器。
【請求項１３】
前記容器は可撓性を有するスクイズ容器であることを特徴とする請求項１２に記載のノズル容器。
【請求項１４】
エアゾール容器であることを特徴とする請求項１２に記載のエアゾール容器。
【請求項１５】
毛髪化粧料用であることを特徴とする請求項１１〜１４のいずれかに記載のノズル容器。
【発明の詳細な説明】
【技術分野】
【０００１】
本発明は、例えば、毛髪化粧料等の塗布に用いるノズル及びノズル容器に関する。
【背景技術】
【０００２】
従来より、スクイズ性を有する容器本体に組付けられ、容器本体の毛髪化粧料を直接頭髪に塗布することができるようにした櫛付きノズルが知られている（特許文献１参照）。この櫛付きノズルとしては、櫛歯が容器本体の軸線方向と平行なものが知られている。
【０００３】
また、容器本体の軸線方向とノズルの方向が傾斜するように、容器本体に組み付けられる毛染め用キャップが知られている（特許文献２参照）。
【特許文献１】特開平１０−１３７０２９号公報
【特許文献２】特開２００１−１９０１６号公報
【発明の開示】
【発明が解決しようとする課題】
【０００４】
櫛歯が容器本体の軸線方向と平行であるノズル容器を用いる場合は、図１５に示すように、櫛歯Ｐ１の先端を後頭部のように垂直に近く傾斜した部分に当接させると、容器本体Ｐ３が水平に近くなるまで寝てしまう。このとき、容器本体内の毛髪化粧料の残量が少ないならば、上方に位置する櫛歯Ｐ１には毛髪化粧料が供給されず、十分に塗布が行えないという問題があった。
【０００５】
また、ノズルの方向が容器本体の軸線方向に対して傾斜しているノズル容器を用いる場合は、頭頂部のように水平に近い部分にキャップを当接させたとき、容器本体が寝てしまう。このとき、容器本体内の毛髪化粧料の残量が少ないならば、一部のノズルに毛髪化粧料が供給されず、やはり十分に塗布が行えないという問題があった。
【０００６】
本発明は以上の点に鑑みなされたものであり、塗布する面の傾斜によらず、均等に内容物を塗布することができるノズル及びノズル容器を提供することを目的とする。
【課題を解決するための手段】
【０００７】
（１）請求項１の発明は、
ノズル本体部と、ノズル先端部とから成るノズルにおいて、前記ノズル本体部における基準面と、前記ノズル先端部における吐出平面との角度を変更することができることを特徴とするノズルを要旨とする。
【０００８】
本発明のノズルでは、ノズル本体部における基準面と、ノズル先端部における吐出平面との角度を変更することができるので、図３に示すように、ノズル本体部７における基準面に対し、ノズル先端部９における吐出平面を傾けることができる。
【０００９】
ここで、基準面とは、ノズル９を容器本体５に取り付けた際に、容器本体５の底面と平行な面をいう。また、吐出平面とは、ノズル先端部９において、ノズルの方向（図３における櫛歯２９〜３８の長手方向）に垂直な平面をいう。
【００１０】
図３に示すようにしてノズル本体部７における基準面に対し、ノズル先端部９における吐出平面を傾けた状態で、図４に示すように、後頭部のように傾斜している部分にノズル先端部９を当接させると、ノズル本体部７における基準面は、ノズル先端部９の吐出平面よりも、水平に近い角度とすることができる。つまり、容器本体５は、倒立した状態に近づけることができる。そのため、容器本体５に収容された内容物が少ない場合でも、ノズル先端部９の全体に渡って、均一に内容物が供給され、内容物を均等に塗布することができる。
【００１１】
また、本発明のノズルは、図１に示すように、ノズル本体部７における基準面に対し、ノズル先端部９における吐出平面を平行にすることができる。
この状態で、図５に示すように、頭頂部のように水平に近い部分にノズル先端部９を当接させると、ノズル本体部７における基準面は水平に近い状態となり、容器本体５は、倒立した状態に近くなる。そのため、容器本体５に収容された内容物が少ない場合でも、ノズル先端部９の全体に渡って、均一に内容物が供給され、内容物を均等に塗布することができる。
【００１２】
このように、本発明のノズルは、内容物を塗布する対象の傾斜に合わせて、ノズル本体部における基準面と、ノズル先端部における吐出平面との角度を変更することができるので、容器本体に収容されている内容物が少ない場合でも、常に、均等に内容物を塗布することができる。
（２）請求項２の発明は、
前記ノズル本体部は、前記ノズル先端部と当接するノズル本体部側当接面を備え、該ノズル本体部側当接面は、前記基準面に対して傾斜しているとともに、前記ノズル先端部は、前記ノズル本体部側当接面と当接するノズル先端部側当接面を備え、該ノズル先端部側当接面は、前記吐出平面に対して傾斜していることを特徴とする請求項１記載のノズルを要旨とする。
【００１３】
本発明のノズルでは、ノズル本体部に対するノズル先端部の取り付け角度を変更するだけで、容易にノズル本体部における基準面と、ノズル先端部における吐出平面との角度を変更することができる。
【００１４】
つまり、図１に示すように、基準面に対し右肩上がりに傾斜しているノズル本体部側当接面（図１における上端部１５ａの属する平面）に、吐出平面に対し右肩上がりに傾斜しているノズル先端部側当接面（図１における当接部２３ａの属する平面）を当接させると、ノズル本体部側当接面の傾斜と、ノズル先端部側当接面の傾斜とが打ち消し合い、ノズル本体部７における基準面と、ノズル先端部９における吐出平面とが平行に近い状態となる。
【００１５】
また、図３に示すように、基準面に対し右肩上がりに傾斜しているノズル本体部側当接面（図３における上端部１５ａの属する平面）に、吐出平面に対し右肩下がりに傾斜しているノズル先端部側当接面（図３における当接部２３ａの属する平面）を当接させると、ノズル本体部側当接面の傾斜と、ノズル先端部側当接面の傾斜とが重なって、ノズル本体部７における基準面と、ノズル先端部９における吐出平面とが大きく傾いた状態となる。
【００１６】
このように、本発明のノズルは、内容物を塗布する対象の傾斜に合わせて、ノズル本体部における基準面と、ノズル先端部における吐出平面との角度を容易に変更することができる。
（３）請求項３の発明は、
前記ノズル本体部側当接面に垂直な軸を回動中心として、前記ノズル先端部を前記ノズル本体部に対して回動させることにより、前記ノズル本体部に対する前記ノズル先端部の取り付け角度を変更することができることを特徴とする請求項２に記載のノズルを要旨とする。
【００１７】
本発明のノズルでは、図１及び図３に示すように、ノズル本体部７のノズル本体部側当接面と、ノズル先端部９のノズル先端部側当接面とを当接させた状態で、ノズル本体部側当接面に垂直な軸を回動中心として、ノズル先端部９をノズル本体部７に対して回動させ、ノズル本体部７に対するノズル先端部９の取り付け角度を変更することができる。
【００１８】
従って、ノズル本体部７に対するノズル先端部９の取り付け角度を図１に示すものとすれば、ノズル本体部７における基準面と、ノズル先端部９における吐出平面とが平行に近い状態とすることができるなる。また、ノズル本体部７に対するノズル先端部９の取り付け角度を図３に示すものとすれば、ノズル本体部７における基準面に対し、ノズル先端部９における吐出平面が大きく傾斜した状態とすることができる。
【００１９】
このように、本発明では、容易に、ノズル本体部７における基準面と、ノズル先端部９における吐出平面との傾きを設定することができる。
（４）請求項４の発明は、
前記取り付け角度は、２つの取り付け角度Ａ、Ｂ、及びＣのうちから選択できることを特徴とする請求項３に記載のノズルを要旨とする。
【００２０】
本発明では、例えば、図１におけるノズル本体部に対するノズル先端部の取り付け角度を、取り付け角度Ａとし、図３におけるノズル本体部に対するノズル先端部の取り付け角度を、取り付け角度Ｂとし、図７における取り付け角度を、取り付け角度Ｃとすることができる。
【００２１】
従って、ノズル本体部に対するノズル先端部の取り付け角度として、取り付け角度Ａ、Ｂ、またはＣのいずれかを選択することにより、ノズル本体部における基準面に対する、ノズル先端部における吐出平面の傾斜を容易に選択することができる。
（５）請求項５の発明は、
前記２つの取り付け角度Ａ及びＢは、互いに１８０度回動した角度であることを特徴とする請求項４に記載のノズルを要旨とする。
【００２２】
本発明のノズルでは、例えば、取り付け角度Ａを、図１に示すように、ノズル本体部における基準面に対する、ノズル先端部における吐出平面の傾斜が最も小さくなるものとすれば、取り付け角度Ａから１８０°回転した取り付け角度Ｂでは、図３に示すように、ノズル本体部における基準面に対する、ノズル先端部における吐出平面の傾斜が最大となる。
【００２３】
従って、本発明では、ノズル本体部７における基準面に対する、ノズル先端部９における吐出平面の傾斜を、幅広く設定することができる。
（６）請求項６の発明は、
前記取り付け角度は、所定角度おきに連続的に調整可能であることを特徴とする請求項３に記載のノズルを要旨とする。
【００２４】
本発明では、ノズル本体部に対するノズル先端部の取り付け角度を連続的に調整できるので、ノズル本体部における基準面に対する、ノズル先端部における吐出平面の傾斜を細かく設定することができる。
（７）請求項７の発明は、
前記取り付け角度を固定することができるストッパー機構を備えることを特徴とする請求項３〜５のいずれかに記載のノズルを要旨とする。
【００２５】
本発明では、取り付け角度を固定することができるストッパー機構を備えているので、使用中に取り付け角度がずれてしまうようなことがない。
（８）請求項８の発明は、
前記基準面と、前記吐出平面とが平行となるように、前記ノズル先端部を前記ノズル本体部に取り付けることができることを特徴とする請求項１〜７のいずれかに記載のノズルを要旨とする。
【００２６】
本発明では、図１に示すように、基準面と、吐出平面とが平行となるように、ノズル先端部９をノズル本体部７に取り付けることができる。この状態で、図５に示すように、頭頂部のように水平な部分にノズル先端部９を当接させると、ノズルに取り付けられた容器本体５は倒立した状態となる。そのため、容器本体に収容された内容物が少ない場合でも、ノズル先端部９には均等に内容物が供給され、均等に内容物を塗布することができる。
（９）請求項９の発明は、
前記ノズルは櫛付きノズルであることを特徴とする請求項１〜８のいずれかに記載のノズルを要旨とする。
【００２７】
本発明のノズルは櫛付きノズルを備えているので、毛髪を梳かしつつ、毛髪化粧料などの内容物を均等に塗布することができる。
（１０）請求項１０の発明は、
前記ノズル本体部側当接面と前記基準面との成す角度が５〜８０°の範囲にあることを特徴とする請求項２〜９のいずれかに記載のノズルを要旨とする。
【００２８】
本発明では、ノズル本体部側当接面と基準面との成す角度が５°以上であるので、図３に示すようにノズル先端部を取り付けた場合に、ノズル先端部を十分に傾けることができる。そのため、図４に示すように、容器本体に収容した内容物が少ない場合でも、後頭部のように垂直に近く傾斜している部分に対し、内容物を均等に塗布することができる。
【００２９】
また、ノズル本体部側当接面と基準面との成す角度が８０°以下であるので、図１に示すようにノズル先端部を取り付けた場合に、ノズル先端部における吐出平面を基準面に対して平行にすることができる。そのため、図５に示すように、容器本体に収容した内容物が少ない場合でも、頭頂部のように垂直に近く傾斜している部分に対し、内容物を均等に塗布することができる。
（１１）請求項１１の発明は、
前記ノズル先端部側当接面と前記吐出平面との成す角度が５〜８０°の範囲にあることを特徴とする請求項２〜１０のいずれかに記載のノズルを要旨とする。
【００３０】
本発明では、ノズル先端部側当接面と吐出平面との成す角度が５°以上であるので、図３に示すようにノズル先端部を取り付けた場合に、ノズル先端部を十分に傾けることができる。そのため、図４に示すように、容器本体に収容した内容物が少ない場合でも、後頭部のように垂直に近く傾斜している部分に対し、内容物を均等に塗布することができる。
【００３１】
また、ノズル先端部側当接面と吐出平面との成す角度が８０°以下であるので、図１に示すようにノズル先端部を取り付けた場合に、ノズル先端部における吐出平面を基準面に対して平行にすることができる。そのため、図５に示すように、容器本体に収容した内容物が少ない場合でも、頭頂部のように垂直に近く傾斜している部分に対し、内容物を均等に塗布することができる。
（１２）請求項１２の発明は、
請求項１〜１１のいずれかに記載のノズルと、容器とを備えることを特徴とするノズル容器を要旨とする。
【００３２】
本発明のノズル容器は、請求項１〜１０のいずれかに記載のノズルを備えることにより、請求項１〜１０の発明と同様の効果を奏することができる。
・前記容器の材質としては、耐薬品性、成形性に優れた合成樹脂を用いるのが望ましい。具体的には、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体けん化物（ＥＶＯＨ）、ポリアクリルニトリル、ポリエチレンテレフタレート（ＰＥＴ）、ポリプロピレン（ＰＰ）、ポリエステル、ポリ塩化ビニル及びナイロンが挙げられる。容器はこれらの材料のいずれかを単層で、又は二種以上を積層して、若しくは二種以上を混合して層状に形成されている。
（１３）請求項１３の発明は、
前記容器は可撓性を有するスクイズ容器であることを特徴とする請求項１２に記載のノズル容器を要旨とする。
【００３３】
本発明では、容器が可撓性を有するスクイズ容器であるので、容器をスクイズすることにより、容易に内容物を吐出することができる。
（１４）請求項１４の発明は、
エアゾール容器であることを特徴とする請求項１２に記載のノズル容器を要旨とする。
【００３４】
本発明のノズル容器はエアゾール容器であるので、容易に内容物を吐出することができる。
（１５）請求項１５の発明は、
毛髪化粧料用であることを特徴とする請求項１１〜１４のいずれかに記載のノズル容器を要旨とする。
【００３５】
本発明のノズル容器は、毛髪化粧料の塗布に用いることができる。
【発明を実施するための最良の形態】
【００３６】
以下に本発明のノズル及びノズル容器の実施の形態の例（実施例）を説明する。
【実施例１】
【００３７】
ａ）まず、本実施例１のノズル容器の構成を図１〜図２を用いて説明する。
図１に示すように、ノズル容器１は、ノズル３と容器５とから構成されており、ノズル３は、ノズル本体部７と、櫛部９とから構成されている。
【００３８】
ノズル本体部７は、下方が開口した円筒形の接続部１１を備えている。この接続部１１の内側には、ねじ溝１３が形成されている。
また、ノズル本体部７は、この接続部１１の上方に連続して設けられた、台座部１２を備えている。この台座部１２の上端面１２ａは、接続部１１の下端面（ノズル本体部７における基準面）に対して３０°の角度で傾斜している。
【００３９】
更に、ノズル本体部７は、台座部１２の上方に連続して設けられた、上方が開口した略円筒状の櫛部取り付け部１５を備えている。この櫛部取り付け部１５は、台座部１２の上端面１２ａに対して垂直に立設されている。そのため、櫛部取り付け部１５の上端部１５ａの属する平面（ノズル本体部側当接面）は、接続部１１の下端面（ノズル本体部７における基準面）に対して３０°の角度で傾斜している。
【００４０】
この櫛部取り付け部１５の外側面には、上端部１５ａに沿って、外側リブ１７が形成されている。
また、櫛部取り付け部１５の外側面には、図２に示すように、位置決めリブ（ストッパー機構）１９、及び２１がそれぞれ形成されている。位置決めリブ１９の櫛部取り付け部１５の外側面における位置は、図１における手前側であって、位置決めリブ２１の位置は、図１における背面側である。つまり位置決めリブ１９及び２１の位置は、図２に示すように、櫛部取り付け部１５の中心に関して１８０°回転した位置である。位置決めリブ１９の形状は、２筋の凸部１９ａ及び１９ｂを所定間隔をおいて縦に（図２において紙面に垂直な方向に）配置し、それらの間に凹部１９ｃを形成したものである。同様に、位置決めリブ２１の形状も、２筋の凸部２１ａ及び２１ｂを所定間隔をおいて縦に配置し、それらの間に凹部２１ｃを形成したものである。
【００４１】
櫛部９は、図１に示すように、下方が開口した略円筒形の嵌合部２３を備えている。嵌合部２３の内径は、ノズル本体部７の櫛部取り付け部１５の外径よりもわずかに大きくなっており、嵌合部２３を櫛部取り付け部１５の外側に被せることができる。
【００４２】
嵌合部２３の内側には、その上方において、中心に向けて張りだした部分である当接部（ノズル先端部側当接面）２３ａが設けられており、嵌合部２３を櫛部取り付け部１５に被せたときは、櫛部取り付け部１５の上端部１５ａは、この当接部２３ａに当接する。
【００４３】
また、嵌合部２３の内側面には、嵌合部２３の下端面２３ｂに沿って、内側リブ２４が形成されている。従って、櫛部９をノズル本体部７に取り付ける場合には、この内側リブ２４をノズル本体部７の外側リブ１７と係合させることにより、櫛部９がノズル本体部７から脱落することを防止できる。
【００４４】
更に、嵌合部２３の内側面には、図２に示すように、位置決めリブ（ストッパー機構）２５、２７が形成されている。位置決めリブ２５の嵌合部２３の内側面における位置は、図１に示す向きに櫛部９を配置したときに、手前側となる位置である。また、位置決めリブ２７の位置は、図１における背面側となる位置である。つまり、位置決めリブ２５及び２７の位置は、図２に示すように、嵌合部２３の中心に関して１８０°回転した位置である。また、位置決めリブ２５の形状は、１筋の凸部２５ａを縦に配置したものであり、位置決めリブ２７の形状は、１筋の凸部２７ａを縦に配置したものである。
【００４５】
位置決めリブ２５は、ノズル本体部７の位置決めリブ１９又は２１のいずれかに係合することができる。つまり、位置決めリブ２５を位置決めリブ１９に係合させる場合には、位置決めリブ２５の凸部２５ａを、位置決めリブ１９の凹部１９ｃに係合させ、位置決めリブ２５を位置決めリブ２１に係合させる場合には、凸部２５ａを、位置決めリブ２１の凹部２１ｃに係合させることができる。また、また、同様に、位置決めリブ２７は、ノズル本体部７の位置決めリブ１９又は２１のいずれかに係合することができる。
【００４６】
従って、櫛部９をノズル本体部７に対し取り付ける取り付け角度としては、図２（ａ）に示すように、櫛部９の位置決めリブ２５をノズル本体部７の位置決めリブ１９に係合させ、櫛部９の位置決めリブ２７をノズル本体部７の位置決めリブ２１に係合させる取り付け角度（取り付け角度Ａ）と、図２（ｂ）に示すように、櫛部９の位置決めリブ２５をノズル本体部７の位置決めリブ２１に係合させ、櫛部９の位置決めリブ２７をノズル本体部７の位置決めリブ１９に係合させる取り付け角度（取り付け角度Ｂ）とがある。
【００４７】
更に、櫛部９は、図１に示すように、嵌合部２３の上方に設けられた１０本の櫛歯２９〜３８を備えている。櫛歯２９〜３８は、互いに平行に配置されており、それらの先端は、櫛歯２９〜３８に垂直な平面に沿って揃っている。
【００４８】
櫛歯２９〜３８に垂直な平面（吐出平面）に対し、上述した当接部２３ａは傾斜している。つまり、図１に示す向きに櫛部９を配置し、櫛歯２９〜３８に垂直な平面を水平とした場合に、当接部２３ａの属する平面は、３０°の角度で右肩上がりとなる。
【００４９】
櫛歯２９〜３８のそれぞれには、上端からやや下がった位置に、櫛歯２９〜３８を、図１の紙面に平行な方向に貫通する薬液供給口２１ａ〜３０ａが設けられている。そして、櫛歯２９〜３８のうち、左右両端のそれぞれ２本を除いた櫛歯３１〜３６の内部には、薬液供給口２９ａ〜３８ａから、櫛歯２９〜３８の根本にまで至る薬液供給管３１ｂ〜３６ｂが形成されている。
【００５０】
容器５は、低密度ポリエチレン製の容器であって、円筒形状の容器本体３９と、容器本体３９の上方に連続して設けられ、容器本体３９よりやや細く、上方が開口した円筒形の端部４１とから成る。この端部４１の外側にはねじ溝４１ａが形成されている。このねじ溝４１ａと、ノズル３のねじ溝１３とを噛み合わせることにより、容器５にノズル３を固定することができる。
【００５１】
ｂ）次に、本実施例１のノズル容器１の使用方法を説明する。
容器５の内部に毛髪化粧料（染毛剤、毛髪脱色剤）を収容した状態で、ノズル容器１の向きを、ノズル３が下となり、容器５が上となる向きとする。そして、ノズル３が有する櫛歯２９〜３８の先端を頭髪に当接させる。すると、容器５内に収容されていた毛髪化粧料は、櫛歯３１〜３６の薬液供給管３１ｂ〜３６ｂを経て薬液供給口３１ａ〜３６ａから吐出され、頭髪に塗布される。このとき、櫛歯２９〜３８により毛髪化粧料を頭髪に広げることができる。
【００５２】
また、本実施例１における容器５は可撓性があるスクイズ容器であるので、容器５をスクイズすることにより、毛髪化粧料の吐出を促進することができる。
ｃ）次に、本実施例のノズル容器１において、ノズル３の角度を設定する方法を説明する。
【００５３】
ノズル３において、ノズル本体部７に対する櫛部９の取り付け角度としては、上述したように、取り付け角度Ａと取り付け角度Ｂの２種類がある。
取り付け角度が取り付け角度Ａであるときには、ノズル本体部７と櫛部９との配置は図１のようになる。このとき、上述したように、ノズル本体部７における接続部１１の下端面に対し、櫛部取り付け部１５の上端部１５ａの属する平面は、３０°の角度で右肩上がりとなっている。
【００５４】
一方、櫛部９の櫛歯２９〜３８に垂直な平面（吐出平面）に対し当接部２３ａは、上述したように、３０°の角度で右肩上がりとなっている。
従って、ノズル本体部７と櫛部９とを図１に示す向きで結合させ、櫛部９の当接部２３ａと、ノズル本体部７の上端部１５ａとを当接させた場合は、ノズル本体部７における上端部１５ａの傾斜と、櫛部９における当接部２３ａの傾斜が全体として打ち消され、ノズル本体部７における接続部１１の下端面（基準面）に対し、櫛部９の櫛歯２９〜３８に垂直な平面（吐出平面）は平行となる。
【００５５】
取り付け角度が取り付け角度Ｂであるときには、ノズル本体部７と櫛部９との配置は図３のようになる。このとき、ノズル本体部７における接続部１１の下端面に対し、櫛部取り付け部１５の上端部１５ａの属する平面は、３０°の角度で右肩上がりとなっている。また、櫛部９の櫛歯２９〜３８に垂直な平面（吐出平面）に対し、当接部２３ａは、上述したように、３０°の角度で右肩下がりとなっている。
【００５６】
従って、ノズル本体部７と櫛部９とを図３に示す向きで結合させ、櫛部９の当接部２３ａと、ノズル本体部７の上端部１５ａとを当接させた場合は、ノズル本体部７における上端部１５ａの傾斜と、櫛部９における当接部２３ａの傾斜が合わさって、ノズル本体部７における接続部１１の下端面（基準面）に対し、櫛部９の櫛歯２９〜３８に垂直な平面（吐出平面）は、６０°の角度で傾斜する。
【００５７】
ノズル３におけるノズル本体部７に対する櫛部９の取り付け角度を、取り付け角度Ａから取り付け角度Ｂへと変更するには、櫛部９の嵌合部２３をノズル本体部７の櫛部取り付け部１５に被せたまま、上端部１５ａに垂直な軸を回動中心として、櫛部９を１８０°回転させればよい。このとき、櫛部９の位置決めリブ２５は、ノズル本体部７の位置決めリブ１９から外れ、位置決めリブ２１に係合する。また、櫛部９の位置決めリブ２７は、ノズル本体部７の位置決めリブ２１から外れ、位置決めリブ１９に係合する。
【００５８】
また、ノズル３における取り付け角度を取り付け角度Ｂから取り付け角度Ａへと変更する場合も、同様に、櫛部９を１８０°回転させればよい。
ｅ）次に、本実施例１のノズル容器が奏する効果を説明する。
【００５９】
(i)本実施例１のノズル容器１は、後頭部のように、垂直に近く傾斜している部分であっても均一に毛髪化粧料を塗布することができる。以下具体的に説明する。
ノズル３におけるノズル本体部７に対する櫛部９の取り付け角度を取り付け角度Ｂとすると、櫛歯２９〜３８に垂直な平面（吐出平面）は、接続部１１の下端面（基準面）に対し、６０°の角度で傾いている。接続部１１の下端面は、容器５の底面５ａに平行であるので、櫛歯２９〜３８に垂直な平面は、容器５の底面５ａに対して、６０°の角度で傾いている。
【００６０】
そのため、図４に示すように、後頭部のように垂直に近い傾きを有する部分に櫛歯２９〜３８の先端を垂直に当接させた場合でも、容器５の底面５ａは櫛歯２９〜３８に垂直な平面に対して６０°傾いているので、容器５は倒立状態に近い状態とすることができる。
【００６１】
そのことにより、容器５に収容した毛髪化粧料が残り少ない場合でも、櫛歯２９〜３８の全てに毛髪化粧料が供給されるので、毛髪化粧料を毛髪に均等に塗布することができる。
【００６２】
(ii)また、本実施例１のノズル容器１は、頭頂部のように水平に近い部分にも均等に毛髪化粧料を塗布することができる。以下具体的に説明する。
ノズル３におけるノズル本体部７に対する櫛部９の取り付け角度を取り付け角度Ａとすると、櫛歯２９〜３８に垂直な平面は、接続部１１の下端面に対し、平行となる。接続部１１の下端面は、容器５の底面５ａに平行であるので、櫛歯２９〜３８に垂直な平面は、容器５の底面５ａに対し平行となる。
【００６３】
そのため、図５に示すように、後頭部のように水平に近い部分に櫛歯２９〜３８の先端を垂直に当接させると、容器５は倒立状態に近い状態となる。
そのことにより、容器５に収容した毛髪化粧料が残り少ない場合でも、櫛歯２９〜３８の全てに毛髪化粧料が供給されるので、毛髪化粧料を毛髪に均等に塗布することができる。
【００６４】
(iii)本実施例１のノズル容器１では、ノズル３におけるノズル本体部７に対する櫛部９の取り付け角度を、取り付け角度Ａと取り付け角度Ｂとの間で簡単に切り替えることができる。つまり、櫛部９をノズル本体部７に取り付けたままで、櫛部９を１８０°回転させるだけでよい。そのため、塗布を行う対象（頭部）の傾きが一定でない場合でも、ノズル３の状態を切替えながら、全面に渡って容易に毛髪化粧料を塗布することができる。
【００６５】
(iv)本実施例１のノズル容器１は、位置決めリブ１９、２１、２５、２７を備えており、ノズル本体部７に対する櫛部９の取り付け角度を固定することができる。そのため、使用中に取り付け角度がずれてしまうようなことがない。
【実施例２】
【００６６】
実施例２のノズル容器１の構成は基本的には前記実施例１と同様である。ただし、ノズル３の構成において一部相違する。具体的には、図６に示すように、ノズル本体部７における櫛部取り付け部１５の外側面に、位置決めリブ１９、及び２１に加えて、位置決めリブ４３、４５を備えている。位置決めリブ４３及び４５は、それぞれ、位置決めリブ１９及び２１から等距離にあり、それらの構造は位置決めリブ１９及び２１と同様である。
【００６７】
また、櫛部９における嵌合部２３の内側面には、位置決めリブ２５、２７に加えて、位置決めリブ４７、４９が形成されている。位置決めリブ４７及び４９は、それぞれ、位置決めリブ２５及び２７から等距離にあり、それらの構造は位置決めリブ２７及び２９と同様である。尚、図６における下側は、図１及び図３における手前側に相当する。
【００６８】
上記の構成により、本実施例２においては、ノズル３におけるノズル本体部７に対する櫛部９の取り付け角度は、図６（ａ）に示すように、櫛部９の位置決めリブ２５、２７、４７、４９が、それぞれ、ノズル本体部７の位置決めリブ１９、２１、４３、４５に係合した場合の取り付け角度Ａ、図６（ｂ）に示すように、位置決めリブ２５、２７、４７、４９が、それぞれ、ノズル本体部７の位置決めリブ２１、１９、４５、４３に係合した場合の取り付け角度Ｂ、図６（ｃ）に示すように、位置決めリブ２５、２７、４７、４９が、それぞれ、ノズル本体部７の位置決めリブ４３、４５、２１、１９に係合した場合の取り付け角度Ｃ、図６（ｄ）に示すように、位置決めリブ２５、２７、４７、４９が、それぞれ、ノズル本体部７の位置決めリブ４５、４３、１９、２１に係合した場合の取り付け角度Ｄの４種類の取り付け角度の何れかとすることができる。
【００６９】
取り付け角度Ａでは、前記実施例１と同様に、ノズル本体部７における接続部１１の下端面に対し、櫛部９の櫛歯２９〜３８に垂直な平面は平行となる。
取り付け角度Ｂでは、前記実施例１と同様に、ノズル本体部７における接続部１１の下端面に対し、櫛部９の櫛歯２９〜３８に垂直な平面６０°の角度で傾斜している。
【００７０】
取り付け角度Ｃ及び取り付け角度Ｄにおいては、図７に示すようになる。すなわち、ノズル本体部７における接続部１１の下端面に対し、櫛部取り付け部１５の上端部１５ａの属する平面は、３０°の角度で右肩上がりとなっている。また、櫛部９の櫛歯２９〜３８に垂直な平面は、当接部２３ａに対して、図７における手前側から見て、平行となっている。
【００７１】
従って、ノズル本体部７と櫛部９との結合状態を取り付け角度Ｃ又は取り付け角度Ｄとした場合は、図７における手前側から見て、ノズル本体部７における接続部１１の下端面に対し、櫛部９の櫛歯２９〜３８に垂直な平面は約３０°の角度で右肩上がりとなる。
【００７２】
このように、本実施例２のノズル容器１では、ノズル３におけるノズル本体部７に対する櫛部９の取り付け角度を、取り付け角度Ａ及び取り付け角度Ｂに加えて、取り付け角度Ｃ又は取り付け角度Ｄの中から選択することができる。取り付け角度Ｃ又は取り付け角度Ｃでは、上述したように、ノズル本体部７における接続部１１の下端面に対し、櫛部９の櫛歯２９〜３８に垂直な平面は約３０°の角度で傾斜している。このとき、接続部１１の下端面は、容器５の底面５ａに平行であるので、櫛歯２９〜３８に垂直な平面は、容器５の底面５ａに対して３０°の角度で傾いていることになる。
【００７３】
従って、ノズル３を取り付け角度Ｃ又は取り付け角度Ｄとして、図８に示すように、約３０°程度の角度で浅く傾斜した部分に櫛歯２９〜３８の先端を垂直に当接させると、容器５の底面５ａは櫛歯２９〜３８に垂直な平面に対して約３０°傾いているので、容器５を倒立状態に近い状態とすることができる。
【００７４】
そのことにより、容器５に収容した毛髪化粧料が残り少ない場合でも、櫛歯２９〜３８の全てに毛髪化粧料が供給されるので、毛髪化粧料を毛髪に均等に塗布することができる。
【００７５】
また、本実施例２のノズル容器１は、前記実施例１と同様の効果を奏することができる。
【実施例３】
【００７６】
本実施例３のノズル容器１の構成は基本的には前記実施例２と同様である。ただし、ノズル３の構成において一部相違する。具体的には、ノズル本体部７側の位置決めリブは、櫛部取り付け部１５の外側面に設けられているのではなく、図９（ａ）及び図９（ｂ）に示すように、台座部１２の上端面１２ａに、位置決めリブ５１、５３、５５、５７が形成されている。ここで、図９（ａ）は、台座部１２付近を側面から見た図であり、図９（ｂ）は、台座部１２付近を上方から見た図である。
【００７７】
位置決めリブ５１、５３、５５、５７の位置は、実施例２における位置決めリブ１９、２１、４３、４５に対応する位置である。つまり、図９（ａ）における手前側に位置決めリブ５１、背面側に位置決めリブ５３、右側に位置決めリブ５５、左側に位置決めリブ５７となる配置である。
【００７８】
位置決めリブ５１の形状は、台座部１２の半径方向に沿って放射状に延びる二筋の凸部５１ａ、５１ｂと、それらの間に形成された凹部５１ｃから成るものである。位置決めリブ５３、５５、５７も同様の形状を有する。
【００７９】
また、櫛部９側の位置決めリブは、嵌合部２３の内側面ではなく、下端面２３ｂに１箇所の位置決めリブ５９が形成されている。この位置決めリブ５９の位置は、櫛部９を図１に示す向きに配置した場合に、その手前側となる位置である。また、位置決めリブ５９の形状は、台座部１２の半径方向に沿って放射状に延びる一筋の凸部５９ａから成るものである。この位置決めリブ５９の凸部５９ａを、位置決めリブ５１、５３、５５、５７の凹部に係合させることにより、櫛部９をノズル本体部７に対して固定することができる。
【００８０】
位置決めリブ５９を、図９（ａ）に示すように、ノズル本体部７における手前側の位置決めリブ５１に係合させると、ノズル本体部７に対し、櫛部９は、図１に示す向きで取り付けられ、櫛歯２９〜３８に垂直な平面は、接続部１１の下端面に対し平行となる（取り付け角度Ａ）。また、取り付け角度Ａの状態から、櫛部９を１８０°回転させ、位置決めリブ５９を、図９（ａ）における背面側の位置決めリブ（位置決めリブ５３）に係合させると、ノズル本体部７に対し、櫛部９は図３に示す向きで取り付けられ、櫛歯２９〜３８に垂直な平面は、接続部１１の下端面に対し６０°の角度で傾斜する（取り付け角度Ｂ）。また、取り付け角度Ａの状態から、櫛部９を９０°回転させ、位置決めリブ５９を、図９（ａ）における右側の位置決めリブ５５又は左側の位置決めリブ５７に係合させると、ノズル本体部７に対し、櫛部９は図７に示す向きで取り付けられ、櫛歯２９〜３８に垂直な平面は、接続部１１の下端面に対し約３０°の角度で傾斜する（取り付け角度Ｃ、取り付け角度Ｄ）。
【００８１】
このように、本実施例３のノズル容器１では、前記実施例２と同様に、ノズル３におけるノズル本体部７に対する櫛部９の取り付け角度を、取り付け角度Ａ〜Ｄの間で切替え、櫛歯２９〜３８の傾きを、変更することができるので、前記実施例２と同様の効果を奏することができる。
【００８２】
尚、ノズル３におけるノズル本体部７に対する櫛部９の取り付け角度を、取り付け角度Ａ〜Ｄの間で切り替える際には、櫛部９をノズル本体部７に取り付けたまま、櫛部９を回転させればよい。すると、位置決めリブ５９は、それまで係合していた、ノズル本体部７側の位置決めリブにおける凸部を乗り越えて進み、新たに係合すべき位置決めリブの凸部を乗り越え、隣接する凹部に係合する。
【実施例４】
【００８３】
実施例４のノズル容器１の構成は基本的には前記実施例１と同様である。ただし、ノズル３の構成において一部相違する。具体的には、図１０に示すように、ノズル本体部７は、櫛部取り付け部１５の外側面ではなく、台座部１２の上端面１２ａに位置決めリブ６１、６３を備えている。上端面１２ａの中における位置決めリブ６１の位置は、ノズル本体部７を図１に示すように配置した場合に、その手前側となる位置であり、位置決めリブ６３の位置は、背面側となる位置である。また、位置決めリブ６１、６３の形状は、上端面１２ａに垂直に立設された円柱形状である。
【００８４】
また、櫛部９は、図１０に示すように、嵌合部２３の内側面ではなく、外側面に、位置決めリブ６５、６７を備えている。嵌合部２３の外側面における位置決めリブ６５の位置は、櫛部９を図１に示す向きに配置したときに、手前側となる位置であり、位置決めリブ６７の位置は、背面側となる位置である。
【００８５】
位置決めリブ６５の形状は、外側にゆくほど幅が広くなる断面台形の部材を縦に（図１０において紙面に垂直な方向に）配置した主部材６５ａと、主部材６５ａを挟んで配置され、断面三角形の部材を縦に配置した一対の副部材６５ｂとから成る。位置決めリブ６７も、同様に、主部材６７ａと、一対の副部材６７ｂとから成る。
【００８６】
ノズル３は、ノズル本体部７に対する櫛部９の取り付け角度が取り付け角度Ａである状態においては、位置決めリブ６１が、位置決めリブ６５の主部材６５ａと副部材６５ｂとの間に係合し、位置決めリブ６３が、位置決めリブ６７の主部材６７ａと副部材６７ｂとの間に係合している。また、取り付け角度Ｂの状態においては、位置決めリブ６１が、位置決めリブ６７の主部材６７ａと副部材６７ｂとの間に係合し、位置決めリブ６３が、位置決めリブ６５の主部材６５ａと副部材６５ｂとの間に係合している。
【００８７】
ノズル３におけるノズル本体部７に対する櫛部９の取り付け角度を、図１０に示す取り付け角度Ａから取り付け角度Ｂに切り替えるためには、櫛部９をノズル本体部７に取り付けたままで、櫛部９を時計回りに１８０°回転させればよい。このとき、位置決めリブ６１は、位置決めリブ６５の副部材６５ｂを乗り越え、更に、位置決めリブ６７の副部材６７ｂを乗り越え、位置決めリブ６７に係合する。同時に、位置決めリブ６３も、位置決めリブ６７との係合を離れ、位置決めリブ６７に係合する。
【００８８】
本実施例４のノズル容器は、前記実施例１と同様の効果を奏する。
【実施例５】
【００８９】
実施例５のノズル容器１の構成は基本的には前記実施例１と同様である。ただし、ノズル３の構成において一部相違する。
ノズル３において、ノズル本体部７と櫛部９との間は、図１１に示すように、蛇腹部６９によって結合されている。従って、この蛇腹部６９を変形させることにより、図１１に示すように、櫛歯２９〜３８に垂直な平面が接続部１１の下端面に対し平行な状態とすることもできるし、図１２に示すように、櫛歯２９〜３８に垂直な平面が接続部１１の下端面に対し傾斜した状態とすることもできる。
【００９０】
このことにより、本実施例５のノズル容器１は、前記実施例１と同様の効果を奏する。更に、蛇腹部６９の曲げ具合を調整することにより、櫛歯部２９〜３８の傾斜を微妙に調整することができる。
【実施例６】
【００９１】
本実施例６のノズル容器１の構成は基本的には前記実施例１と同様である。ただし、ノズル３の構成において一部相違する。
本実施例６では、図１３に示すように、ノズル本体７の櫛部取り付け部１５における外側面には、全周にわたって、位置決めリブの凸部１９ａが所定間隔ごとに連続的に形成されている。そして、位置決めリブの凸部１９ａの間には、凹部１９ｃが、所定間隔ごとに、連続的に形成されている。
【００９２】
一方、櫛部９の嵌合部２３における内側には、凸部である位置決めリブ２５及び２７が形成されている。これらリブ２５及び２７は、連続的に形成された凹部１９ｃのいずれにも係合させることができる。
【００９３】
従って、櫛部９側の位置決めリブ２５及び２７を、ノズル本体７側のどの凹部１９ｃに係合させるかによって、ノズル本体７に対する櫛部９の取り付け角度を微妙に調整することができ、それにともなって、櫛歯２９〜３８に垂直な平面（吐出平面）の、接続部１１の下端面（基準面）に対する角度を微妙に調整することができる。
【実施例７】
【００９４】
本実施例７のノズル容器１の構成は基本的には前記実施例３と同様である。ただし、ノズル３の構成において一部相違する。
具体的には、図１４に示すように、ノズル本体部７の台座部１２における上端面１２ａに、凸部である位置決めリブ５１ａが全周にわたって、所定間隔ごとに連続して形成されている。そして、位置決めリブ５１ａの間には、凹部５１ｃが、所定間隔ごとに、連続的に形成されている。
【００９５】
一方、櫛部９側の位置決めリブ５９は、前記実施例３と同様に、下端面２３ｂに１箇所の位置決めリブ５９が形成されている。この位置決めリブ５９は、連続的に形成された凹部５１ｃのいずれにも係合させることができる。
【００９６】
従って、櫛部９側の位置決めリブ５９を、ノズル本体７側のどの凹部５１ｃに係合させるかによって、ノズル本体７に対する櫛部９の取り付け角度を微妙に調整することができ、それにともなって、櫛歯２９〜３８に垂直な平面（吐出平面）の、接続部１１の下端面（基準面）に対する角度を微妙に調整することができる。
【００９７】
尚、本発明は前記実施例になんら限定されるものではなく、本発明を逸脱しない範囲において種々の態様で実施しうることはいうまでもない。
・前記実施例１において、櫛部９の嵌合部２３の外径を、ノズル本体部７の櫛部取り付け部１５の内径よりも小さくし、嵌合部２３を、櫛部取り付け部１５の内側に差し込むようにしてもよい。この場合は、嵌合部２３の外側面に位置決めリブ２５、２７を形成し、櫛部取り付け部１５の内側面に位置決めリブ１９、２１を形成することができる。
【００９８】
・前記実施例１〜７において、櫛付きノズルの代わりに、シングルノズルタイプや、特開２００１−１９０１６号公報に記載されているような円盤状コームを用いても良い。
・前記実施例１〜７において、容器５はエアゾール容器であってもよい。
【００９９】
・前記実施例１〜５において、ストッパーは一箇所のみに設けてもよい。
【図面の簡単な説明】
【０１００】
【図１】実施例のノズル容器の構成を示す説明図である。
【図２】図１のＡ−Ａ断面における断面を示す説明図である。
【図３】実施例のノズル容器の構成を示す説明図である。
【図４】実施例のノズル容器の使用状態を示す説明図である。
【図５】実施例のノズル容器の使用状態を示す説明図である。
【図６】実施例２における櫛部取り付け部及び嵌合部の構成を示す断面図である。
【図７】実施例のノズル容器の構成を示す説明図である。
【図８】実施例のノズル容器の構成を示す説明図である。
【図９】実施例３のノズル容器の使用状態を示す説明図である。
【図１０】実施例４のノズル容器の構成を示す説明図である。
【図１１】実施例５のノズル容器の構成を示す説明図である。
【図１２】実施例５のノズル容器の使用状態を示す説明図である。
【図１３】実施例６のノズル容器の構成を示す説明図である。
【図１４】実施例７のノズル容器の構成を示す説明図である。
【図１５】従来のノズル容器の構成及び使用状態を示す説明図である。
【符号の説明】
【０１０１】
１・・・ノズル容器
３・・・ノズル
５・・・容器
７・・・ノズル本体
９・・・櫛部
１１・・・接続部
１２・・・台座部
１５・・・櫛部取り付け部
１５ａ・・・上端部
１９、２１、２５、２７・・・位置決めリブ
２３・・・嵌合部
２３ａ・・・当接部
【図１】
2005082160.tif 000003
【図２】
2005082160.tif 000004
【図３】
2005082160.tif 000005
【図４】
2005082160.tif 000006
【図５】
2005082160.tif 000007
【図６】
2005082160.tif 000008
【図７】
2005082160.tif 000009
【図８】
2005082160.tif 000010
【図９】
2005082160.tif 000011
【図１０】
2005082160.tif 000012
【図１１】
2005082160.tif 000013
【図１２】
2005082160.tif 000014
【図１３】
2005082160.tif 000015
【図１４】
2005082160.tif 000016
【図１５】
2005082160.tif 000017